(57)【要約】 【課題】清掃時に手から脱落し難く、且つ、平坦面であっても曲面であっても確実に清掃することができる、使用性に勝れた清掃具を提供する。【解決手段】ヘッド本体３は、非圧縮性で且つ可撓性のある合成樹脂で形成され、前記ヘッド本体３の下面３ｂには、清掃用パッド２０を取り付ける為の取付部材と、該ヘッド本体３の屈曲性を高めるための横溝５とが設けられ、該横溝５は、前記ヘッド本体３の左右方向の一端から他端まで延びていて、グリップ４は、前記ヘッド本体３の上面３ａから上方に立ち上がる脚部４ａと、脚部４ａの上端に連なる頭部４ｂとを有し、前記脚部４ａは、ヘッド本体３の前後方向に細長い断面形状を有し、該脚部４ａの大きさは指の間に挟むことができる大きさであり、前記頭部４ｂは、前記脚部４ａよりもヘッド本体３の左右方向に広がっている。【選択図】図７
2020058408.tif 000002
【特許請求の範囲】
【請求項１】
片手の手のひらを上面に押し当てて使用するパッド保持具と、このパッド保持具に取り付けられた清掃用パッドとを有する清掃具において、
前記パッド保持具は、前後長が左右長より長い板状のヘッド本体と、ヘッド本体の上面に設けられたグリップとを備え、
前記ヘッド本体は、非圧縮性で且つ可撓性のある合成樹脂で形成され、
前記ヘッド本体の下面には、前記清掃用パッドを取り付けるための取付部材と、該ヘッド本体の屈曲性を高めるための横溝とが設けられ、該横溝は、前記ヘッド本体の左右方向の一端から他端まで延びており、
前記グリップは、前記ヘッド本体の上面から上方に立ち上がる脚部と、脚部の上端に連なる頭部とを有し、
前記脚部は、ヘッド本体の前後方向に細長い断面形状を有し、該脚部の大きさは手の指の間に挟むことができる大きさであり、前記頭部は、前記脚部よりもヘッド本体の左右方向に広がっている、
ことを特徴とする清掃具。
【請求項２】
前記グリップは、前記ヘッド本体の前後方向中央位置よりも前方に設けられ、前記横溝は、前記ヘッド本体の前後方向中央位置よりも後方に１つ設けられていることを特徴とする請求項１に記載の清掃具。
【請求項３】
前記ヘッド本体の下面には、該ヘッド本体の前後方向の一端から他端まで延びる２つの縦溝が設けられ、前記縦溝は、前記グリップの脚部を間に挟んだ左右両側にそれぞれ１つずつ設けられていることを特徴とする請求項１または２に記載の清掃具。
【請求項４】
前記取付部材は、前記横溝よりもヘッド本体の前方に取り付けられた第１面ファスナーと、前記横溝よりもヘッド本体の後方に取り付けられた第２面ファスナーとから成っていることを特徴とする請求項１−３の何れかに記載の清掃具。
【請求項５】
前記第１面ファスナー及び第２面ファスナーは、前記縦溝を覆った状態で前記ヘッド本体の下面に取り付けられていることを特徴とする請求項３に従属する請求項４に記載の清掃具。
【請求項６】
前記ヘッド本体には、該ヘッド本体を厚さ方向に貫通する吊掛け用の開口が設けられ、該開口は、前記第２面ファスナーよりも後方にあり、且つ、前記縦溝間に配置されていることを特徴とする請求項４または５に記載の清掃具。
【発明の詳細な説明】
【技術分野】
【０００１】
本発明は、浴室の床や浴槽等を清掃するのに使用する清掃具に関するものである。
【背景技術】
【０００２】
従来より、浴室の床や浴槽等に付着した汚れを落とす際には、特許文献１に示すようなスポンジたわしが一般的に使用されている。前記スポンジたわしは、軟質スポンジと不織布シートとを積層したものである。前記スポンジたわしは、柔らかいため清掃対象部位に対するフィット性は良いが、清掃時に手から脱落しないように全体を手で掴んだ状態で使用するため、手で掴んだ部分に集中的に力が作用し、掴んでいない部分には力が加わり難いという問題があり、このため、使用性が必ずしも良いとはいえなかった。
【０００３】
前記問題を解決するものとして、例えば、特許文献２や特許文献３に示すような清掃具がある。
特許文献２に記載の清掃具は、直方体を成すスポンジとプラスチック板とを積層したものであり、使用時には、前記プラスチック板に設けた鼻緒を手指または足指で挟んだ状態で、プラスチック板を上面から押圧しながら清掃する。
また、特許文献３に記載の清掃具は、スポンジたわしの上面に直方体状の把持部を有するもので、該把持部を指で挟んだ状態で、前記スポンジたわしを上面から押圧しながら清掃を行うように構成されている。
【０００４】
しかしながら、前記特許文献２の清掃具は、前記プラスチック板が硬くて曲がらないため、平坦面の清掃には適しているが、清掃対象部位が、浴槽の縁のように凸形に折れ曲がった部分であったり、或いは、浴槽の内面のように凹曲面をなす部分である場合、該清掃対象部位の形状にフィットさせることができないため、このような曲面部分を清掃することができない。
一方、特許文献３の清掃具は、全体がスポンジで形成されていて柔らかいため、前記特許文献１のスポンジたわしと同様に、使用性が悪い。
【先行技術文献】
【特許文献】
【０００５】
【特許文献１】特開２００８−  ９９９１６号公報
【特許文献２】実用新案登録第３１２１０４１号公報
【特許文献３】特開２０１３−２０２３９８号公報
【発明の概要】
【発明が解決しようとする課題】
【０００６】
本発明の課題は、清掃時に手から脱落し難く、且つ、平坦面であっても曲面であっても確実に清掃することができる、使用性に勝れた清掃具を提供することにある。
【課題を解決するための手段】
【０００７】
前記課題を解決するため、本発明によれば、片手の手のひらを上面に押し当てて使用するパッド保持具と、このパッド保持具に取り付けられた清掃用パッドとを有する清掃具において、前記パッド保持具は、前後長が左右長より長い板状のヘッド本体と、ヘッド本体の上面に設けられたグリップとを備え、前記ヘッド本体は、非圧縮性で且つ可撓性のある合成樹脂で形成され、前記ヘッド本体の下面には、前記清掃用パッドを取り付けるための取付部材と、該ヘッド本体の屈曲性を高めるための横溝とが設けられ、該横溝は、前記ヘッド本体の左右方向の一端から他端まで延びており、前記グリップは、前記ヘッド本体の上面から上方に立ち上がる脚部と、脚部の上端に連なる頭部とを有し、前記脚部は、ヘッド本体の前後方向に細長い断面形状を有し、該脚部の大きさは手の指の間に挟むことができる大きさであり、前記頭部は、前記脚部よりもヘッド本体の左右方向に広がっていることを特徴とする清掃具が提供される。
【０００８】
本発明において、前記グリップは、前記ヘッド本体の前後方向中央位置よりも前方に設けられ、前記横溝は、前記ヘッド本体の前後方向中央位置よりも後方に１つ設けられていることが好ましい。
【０００９】
また、本発明において、前記ヘッド本体の下面には、該ヘッド本体の前後方向の一端から他端まで延びる２つの縦溝が設けられ、前記縦溝は、前記グリップの脚部を間に挟んだ左右両側にそれぞれ１つずつ設けられていてもよい。
【００１０】
また、前記取付部材は、前記横溝よりもヘッド本体の前方に取り付けられた第１面ファスナーと、前記横溝よりもヘッド本体の後方に取り付けられた第２面ファスナーとから成っていることが好ましい。
この場合、前記第１面ファスナー及び第２面ファスナーは、前記縦溝を覆った状態で前記ヘッド本体の下面に取り付けられているのが好ましい。
また、前記ヘッド本体には、該ヘッド本体を厚さ方向に貫通する吊掛け用の開口が設けられ、該開口は、前記第２面ファスナーよりも後方にあり、且つ、前記縦溝間に配置されていてもよい。
【発明の効果】
【００１１】
本発明の清掃具は、ヘッド本体が、非圧縮性で可撓性のある合成樹脂により形成され、且つ、このヘッド本体の下面に横溝が設けられているため、清掃対象部位が、浴槽の縁のような凸形に折れ曲がった部分であっても、浴槽の内面のような凹曲面を有する部分であっても、前記清掃対象部位の形状に応じてヘッド本体が撓むか、あるいは、前記横溝を折り目として該ヘッド本体が屈曲することにより、該清掃対象部位を清掃することができ、前記清掃対象部位が浴室の床のような平坦面である場合には、前記ヘッド本体を平坦に広げた状態で清掃することができる。また、清掃時にグリップが指に係止することにより、清掃具が手から脱落するのが防止される。
【図面の簡単な説明】
【００１２】
【図１】本発明に係る清掃具の斜視図である。
【図２】パッド保持具の正面図である。
【図３】前記パッド保持具の側面図である。
【図４】前記パッド保持具の底面図である。
【図５】前記パッド保持具の底面斜視図である。
【図６】第１及び２面ファスナーを取り付ける前のヘッド本体を示す底面図である。
【図７】前記清掃具を手で持った状態で、ヘッド本体が横溝を折り目として下面側に屈曲された状態を示す側面図である。
【図８】前記清掃具を手で持った状態で、前記ヘッド本体が縦溝を折り目として下面側に屈曲された状態を示す斜視図である。
【図９】前記ヘッド本体が横溝を折り目として上面側に屈曲された状態を示す側面図である。
【図１０】前記ヘッド本体が縦溝を折り目として上面側に屈曲された状態を示す正面図である。
【発明を実施するための形態】
【００１３】
本発明に係る清掃具について、図１−図１０を用いて説明する。
図１に示すように、前記清掃具１は、片手の手のひらを上面に押し当てて使用するパッド保持具２と、このパッド保持具２に着脱自在に取り付けられた清掃用パッド２０とを有するものである。前記清掃具１は、浴室の床や浴槽等の清掃を行うのに適した構造を有しているが、用途はそれだけに限定されない。例えば、台所の流し台や洗面台等の清掃にも使用することができる。
【００１４】
前記パッド保持具２は、前後長が左右長よりも長い長方形状をした板状のヘッド本体３と、該ヘッド本体３の上面３ａに形成されたグリップ４とを有している。前記ヘッド本体３とグリップ４とは、非圧縮性で且つ可撓性のある合成樹脂により一体成型されている。
【００１５】
前記ヘッド本体３の上面３ａは、平坦面に形成されていて、片手の手のひらを押し当てて清掃することができる大きさを有している。また、前記ヘッド本体３の下面３ｂには、図２−図６に示すように、ヘッド本体３の屈曲性を高めるための横溝５及び縦溝６と、前記清掃用パッド２０をヘッド本体３の下面３ｂに着脱自在に取り付けるための第１面ファスナー１０及び第２面ファスナー１１とが設けられている。
【００１６】
図６に示すように、前記横溝５は、コ字形の断面形状を有し、１つの横溝５が、前記ヘッド本体３の前後方向中央位置よりも後方の位置に、前記ヘッド本体３の左右方向の一端から他端まで直線状に延びている。一方、前記縦溝６は、２つ設けられていて、該２つの縦溝６，６が、前記横溝５に交差して前記ヘッド本体３の前端から後端まで直線状に延びていると共に、前記グリップ４の脚部４ａを挟んで左右対称の位置にそれぞれ１つずつ設けられている。前記縦溝６は、前記横溝５と同形同大のコ字形の断面形状を有している。なお、これら横溝５及び縦溝６の深さは、前記ヘッド本体３の厚みの１／２か、またはそれより少し大きい程度であることが好ましいが、１／２以下であってもよい。
【００１７】
前記第１面ファスナー１０は、前記横溝５よりも前記ヘッド本体３の前方に取り付けられ、また、前記第２面ファスナー１１は、前記横溝５よりも前記ヘッド本体３の後方に取り付けられている。前記第１及び第２面ファスナー１０，１１は、どちらも矩形の生地に、前記清掃用パッド２０に係止する鉤形のフックが設けられたものであり、ヘッド本体３の前後方向に延びる２本の前記縦溝６，６を覆った状態で、前記ヘッド本体３の下面３ｂに糸で縫い付けられている。図１、図４、図５における符号１３はその縫い目を示している。また、前記第１面ファスナー１０及び第２面ファスナー１１の左右方向長さは、前記ヘッド本体３の左右方向長さと同一の長さに形成されていることが望ましい。
【００１８】
また、前記ヘッド本体３には、該ヘッド本体３を厚さ方向に貫通する吊掛け用の開口１２が形成されている。前記開口１２は、矩形の輪郭形状を有し、前記第２面ファスナー１１よりも後方の位置に、２本の前記縦溝６，６間に介在するように配置されている。
【００１９】
前記グリップ４は、前記ヘッド本体３の上面３ａから上方に立ち上がる柱状の前記脚部４ａと、前記脚部４ａの上端に連なる頭部４ｂとを備えている。このうち、前記脚部４ａは、前記ヘッド本体３の前後方向に細長い断面形状を有すると共に、隣合う指の間に挟み込むことができる幅及び高さを有するように形成されている。一方、前記頭部４ｂは、前記脚部４ａよりもヘッド本体３の左右方向に広がった形状を成していて、平らな上端面を有している。
また、前記グリップ４は、前記ヘッド本体３の前後方向中央位置よりも前方に設けられている。すなわち、前記グリップ４は、前記横溝５よりもヘッド本体３の前方に配されている。
【００２０】
前記清掃用パッド２０は、前記ヘッド本体３の前後方向に細長い直方体状を成していて、合成樹脂を発泡させて形成したスポンジ板、不織布や織物等からなる布、このような布を積層して形成した繊維板等から構成されている。前記清掃用パッド２０は、前記ヘッド本体３よりも大きめに形成されていて、該ヘッド本体３の前後方向及び左右方向にはみ出した状態と成っている。前記清掃用パッド２０の厚みは、図示した実施形態では前記ヘッド本体３の厚みよりも厚いが、該ヘッド本体３の厚みよりも薄くても構わない。
【００２１】
前記清掃具１を用いて清掃する場合には、図７に示すように、片手の指先側をヘッド本体３の上面３ａの前方側に配すると共に、手首側をヘッド本体３の後方側に配した状態とし、隣接する指間、例えば、図８に示すように、人差し指と中指との間で前記グリップ４の脚部４ａを挟み、両指間の指股を脚部４ａに当てた状態とする。このとき、前記人差し指及び中指が前記グリップ４の頭部４ｂに係止することで、清掃具１が手から脱落するのが防止される。
【００２２】
そして、前記清掃用パッド２０に、必要に応じて洗浄液や磨き粉等を含ませ、前記ヘッド本体３の上面３ａを手のひらで押して、前記清掃用パッド２０を清掃対象部位に押し付け、その状態で清掃具１を前後或いは左右に動かすことにより清掃を行う。このとき、清掃対象部位が浴室の床のように平らな部分である場合には、前記ヘッド本体３が平らな板状を成した状態で清掃用パッド２０を押圧し、該清掃用パッド２０全体を清掃対象部位に押し付けた状態で清掃が行われる。
【００２３】
また、前記清掃対象部位が、浴槽の内面のような凹曲面をなしている場合には、図９または図１０に示すように、前記ヘッド本体３が、前記凹曲面の部分で、前記横溝５或いは縦溝６を折り目として前記凹曲面に沿って外側（ヘッド本体３の上面３ａ側）に屈曲すると同時に、該ヘッド本体３自身の可撓性によって適度に湾曲し、前記清掃用パッド２０が該凹曲面に、全体的にあるいは部分的にフィットした状態で清掃が行われる。
【００２４】
一方、前記清掃対象部位が、浴槽の縁のような凸曲面をなしている場合には、図７または図８に示すように、前記ヘッド本体３が、前記凸曲面の部分で、前記横溝５或いは縦溝６を折り目として該凸曲面に沿って内側（ヘッド本体３の下面３ｂ側）に屈曲すると同時に、該ヘッド本体３自身の可撓性によって適度に湾曲し、前記清掃用パッド２０が該凸曲面に、全体的にあるいは部分的にフィットした状態で清掃が行われる。
【００２５】
このように、前記清掃具１は、ヘッド本体３が、非圧縮性で可撓性のある合成樹脂により形成されると共に、このヘッド本体３の屈曲性を高めるための横溝５及び縦溝６を設けているため、清掃対象部位が、浴槽の縁のような凸形に折れ曲がった部分であっても、浴槽の内面のような凹曲面を有する部分であっても、前記清掃対象部位の形状に応じてヘッド本体３が撓むか、あるいは、前記横溝５及び縦溝６を折り目として該ヘッド本体３が屈曲することにより、該清掃対象部位を清掃することができ、また、前記清掃対象部位が浴室の床のような平坦面である場合には、前記ヘッド本体３を平坦に広げた状態で清掃することができる。また、清掃時にグリップ４の頭部４ｂが指に係止することにより、清掃具１が手から脱落するのが防止される。
【００２６】
なお、清掃の過程で汚れたり傷ついたりした清掃用パッド２０は、前記第１及び第２面ファスナー１０，１１から取り外して、新しい清掃用パッド２０と交換される。
【００２７】
前記ヘッド本体３とその下面３ｂに装着された清掃用パッド２０とは、いずれも矩形の平面形状を成しているが、そのほかの角形形状に形成されていてもよく、或いは、円形や楕円形等に形成されていてもよい。また、前記ヘッド本体３とグリップ４とは一体成型されているが、ヘッド本体３とグリップ４とは、別体に形成して相互に結合したものであってもよい。
また、前記清掃具１を使用する際、図７及び図８では、片手の指先側をヘッド本体３の前方側に配し、手首側をヘッド本体３の後方側に配しているが、指先側をヘッド本体３の後方側に配し、手首側をヘッド本体３の前方側に配した状態で使用することもできるし、或いは、指先側をヘッド本体３の左右方向一端側に配し、手首側をヘッド本体３の左右方向他端側に配した状態で使用することもできる。
また、前記清掃具１を使用する際、図７及び図８では、前記グリップ４の脚部４ａを隣接する指により挟んだ状態で使用しているが、前記グリップ４の頭部４ｂを手で握った状態で使用することもできる。
【符号の説明】
【００２８】
１        清掃具
２        パッド保持具
３        ヘッド本体
３ａ      上面
３ｂ      下面
４        グリップ
４ａ      脚部
４ｂ      頭部
５        横溝
６        縦溝
１０        第１面ファスナー
１１        第２面ファスナー
【図１】
2020058408.tif 000003
【図２】
2020058408.tif 000004
【図３】
2020058408.tif 000005
【図４】
2020058408.tif 000006
【図５】
2020058408.tif 000007
【図６】
2020058408.tif 000008
【図７】
2020058408.tif 000009
【図８】
2020058408.tif 000010
【図９】
2020058408.tif 000011
【図１０】
2020058408.tif 000012